(57)【要約】【課題】  非接触ＩＣタグを用いた物品の管理にかかるコストを削減し、ＩＣタグによる物品への汚損をなくした物品監視システムを提供する。【解決手段】  盗難監視用リーダ４からの応答要求信号の出力と監視対象物品１に取り付けた金属部材２によって反射された反射信号の出力とが打ち消しあう位置または前記金属部材と密着する位置にＩＣタグ３を配置している。従って、通常はＩＣタグ３を検出することはできないが、監視対象物品１が設置場所から移動した場合には反射波がなくなり、また、金属部材とＩＣタグとの密着状態が解消されるため、ＩＣタグ３が応答要求信号を受信し、応答信号を出力することで物品の設置場所からの移動を検出することができる。【選択図】        図１
2005038301.tif 000002
【特許請求の範囲】
【請求項１】
ＩＣタグを検出するための検出信号を出力する検出装置と、
監視対象の物品に取り付けられまたは監視対象の物品の一部または全部を構成し、前記検出装置から出力される前記検出信号を反射させる金属部材と、
前記検出装置からの前記検出信号の出力と前記金属部材によって反射された反射信号の出力とが打ち消しあう位置または前記金属部材と密着する位置に配置されたＩＣタグと、
を有することを特徴とする物品監視システム。
【請求項２】
検出装置から出力される、ＩＣタグを検出するための検出信号の出力と、監視対象の物品に取り付けられまたは監視対象の物品の一部または全部を構成し、金属部材によって反射された前記検出信号の出力とが打ち消しあう位置または前記金属部材と密着する位置に前記ＩＣタグを設置するＩＣタグ設置ステップと、
前記ＩＣタグが前記検出信号を受信し、該ＩＣタグより応答信号が返送されてきたときに、監視対象の物品の設置場所からの移動を検出する移動検出ステップと、
を有することを特徴とする物品監視方法。
【発明の詳細な説明】
【技術分野】
【０００１】
本発明は、美術館や博物館等の展示場に展示された展示物や、倉庫等に保管された物品を監視する物品監視システム及び物品監視方法に関する。
【背景技術】
【０００２】
近年、個体の識別が可能な情報を保持し、その情報を非接触で読み取ることができるＲＦＩＤ（Ｒａｄｉｏ  Ｆｒｅｑｕｅｎｃｙ  ＩＤｅｎｔｉｆｉｃａｔｉｏｎ）と呼ばれる非接触ＩＣタグが商品管理などに広く用いられるようになってきた。
【０００３】
非接触ＩＣタグを用いて倉庫等における物品の在庫等の管理を行う技術が以下に示す特許文献１に開示されている。この特許文献１では、ＩＤタグが付けられた伝票を物品につけ、倉庫等に備えたリーダによりＩＤタグからの情報を読み込み管理することで、物品の入出庫の管理を容易に実現できるとしている。
【０００４】
また、管理する物品の配置が変わっても、検索によって所望の物品を容易に見つけ出す技術が以下に示す特許文献２に開示されている。この特許文献２では、物品データを書き込んだタグを物品に貼り付け、管理場所の各エリアに配置されたリーダライタにより物品のタグ情報を読み込んで管理場所を認識している。
【０００５】
【特許文献１】特開平７−８１７２５号公報
【特許文献２】特開２００２−１６７０１１号公報
【発明の開示】
【発明が解決しようとする課題】
【０００６】
上述のように従来の非接触ＩＣタグを用いた物品の管理方法では、物品毎に非接触ＩＣタグを貼り付けて物品を管理しているため、管理する物品の数だけ非接触ＩＣタグが必要となる。従って、物品管理のためのコストが増大する。また、従来の非接触ＩＣタグを用いた物品管理では、ＩＣタグをすべての監視対象物品に取り付け、大がかりなシステムによって展示中の物品や倉庫内に保管された監視対象物品を監視しているが、展示中の展示品だけを管理したい場合など、より簡易な構成で監視対象物品を監視するシステムの実現が望まれている。
【０００７】
また、管理する物品に直接非接触ＩＣタグを貼り付けるため、美術館や展示場に展示されている美術品や展示品などの汚れてはならないものに対しては、非接触ＩＣタグを用いた管理を行うことができなかった。
【０００８】
本発明は上記事情に鑑みてなされたものであり、非接触ＩＣタグを用いた物品の管理にかかるコストを削減し、非接触ＩＣタグによる物品への汚損をなくした物品監視システム及び物品監視方法を提供することを目的とする。
【課題を解決するための手段】
【０００９】
かかる目的を達成するために請求項１記載の発明は、ＩＣタグを検出するための検出信号を出力する検出装置と、監視対象の物品に取り付けられまたは監視対象の物品の一部または全部を構成し、前記検出装置から出力される前記検出信号を反射させる金属部材と、前記検出装置からの前記検出信号の出力と前記金属部材によって反射された反射信号の出力とが打ち消しあう位置または前記金属部材と密着する位置に配置されたＩＣタグと、を有することを特徴としている。
【００１０】
請求項１記載の発明は、検出装置からの検出信号の出力と、この検出信号を金属部材により反射した反射信号の出力とが打ち消しあう位置または前記金属部材と密着する位置にＩＣタグを配置している。従って、通常はＩＣタグを検出信号によって検出することはできないが、監視対象の物品が設置場所から移動した場合には反射波がなくなり、また、金属部材とＩＣタグとの密着状態が解消されるため、ＩＣタグが検出信号を受信し応答信号を出力することで物品の設置場所からの移動を検出することができる。従って、ＩＣタグを監視対象物品に取り付け、大がかりなシステムによって展示中の物品や倉庫内に保管された監視対象物品をすべて監視するのではなく、展示中の展示品だけを管理したい場合などに簡易な構成で監視対象物品を監視することができる。
【００１１】
この原理を利用して複数の監視対象の物品に金属部材を取り付け、これらの金属部材からの反射信号と、検出信号との出力が打ち消しあう位置または前記金属部材と密着する位置にＩＣタグを配置することで、１つのＩＣタグと１つの検出装置により複数の物品を監視することも可能となる。また、監視対象の物品の一部または全部が金属で構成されている場合には、金属部材を監視対象の物品に取り付ける必要がないため、監視対象の物品、特に美術品などを汚損させることなく監視することができる。
【００１２】
請求項２記載の発明は、検出装置から出力される、ＩＣタグを検出するための検出信号の出力と、監視対象の物品に取り付けられまたは監視対象の物品の一部または全部を構成し、金属部材によって反射された前記検出信号の出力とが打ち消しあう位置または前記金属部材と密着する位置に前記ＩＣタグを設置するＩＣタグ設置ステップと、前記ＩＣタグが前記検出信号を受信し、該ＩＣタグより応答信号が返送されてきたときに、監視対象の物品の設置場所からの移動を検出する移動検出ステップと、を有することを特徴としている。
【００１３】
請求項２記載の発明は、検出装置からの検出信号の出力と、この検出信号を金属部材により反射した反射信号の出力とが打ち消しあう位置または前記金属部材と密着する位置にＩＣタグを配置している。従って、通常はＩＣタグを検出信号によって検出することはできないが、監視対象の物品が設置場所から移動した場合には反射波がなくなり、また、金属部材とＩＣタグとの密着状態が解消されるため、ＩＣタグが検出信号を受信し応答信号を出力することで物品の設置場所からの移動を検出することができる。従って、ＩＣタグを監視対象物品に取り付け、大がかりなシステムによって展示中の物品や倉庫内に保管された監視対象物品をすべて監視するのではなく、展示中の展示品だけを管理したい場合などに簡易な構成で監視対象物品を監視することができる。
【００１４】
この原理を利用して複数の監視対象の物品に金属部材を取り付け、これらの金属部材からの反射信号と、検出信号との出力が打ち消しあう位置または前記金属部材と密着する位置にＩＣタグを配置することで、１つのＩＣタグと１つの検出装置により複数の物品を監視することも可能となる。また、監視対象の物品の一部または全部が金属で構成されている場合には、金属部材を監視対象の物品に取り付ける必要がないため、監視対象の物品、特に美術品などを汚損させることなく監視することができる。
【発明の効果】
【００１５】
本発明は、検出装置からの検出信号の出力と金属部材によって反射された反射信号の出力とが打ち消しあう位置または前記金属部材と密着する位置にＩＣタグを配置している。従って、通常はＩＣタグを検出信号によって検出することはできないが、監視対象の物品が設置場所から移動した場合には反射波がなくなり、また、金属部材とＩＣタグとの密着状態が解消されるため、ＩＣタグが検出信号を受信し応答信号を出力することで物品の設置場所からの移動を検出することができる。また、監視対象の物品の一部または全部が金属で構成されている場合には、金属部材を監視対象の物品に取り付ける必要がないため、監視対象の物品、特に美術品などを汚損させることなく監視することができる。
【発明を実施するための最良の形態】
【００１６】
以下、本発明を実施するための形態を詳細に説明する。
【実施例１】
【００１７】
まず、図１を参照しながら本実施例の構成について説明する。
本実施例は、図１に示されるように監視対象となる各監視対象物品１に取り付けられた金属部材２と、監視対象物品１の設置場所からの移動を検出するＩＣタグ３及び盗難監視用リーダ４と、監視対象物品１を監視する複数の盗難監視用リーダ４を管理する盗難管理装置５と、を有している。
【００１８】
監視対象物品１に取り付けられる金属部材２は、盗難監視用リーダ４から出力される電波を反射する導電性の物質であればよく、形状は、盗難を監視する監視対象物品１に合わせて適宜変更可能である。例えば、監視対象物品１が図２に示されるように大型の電化製品であるならば、金属板を監視対象物品１の底面に取り付けるようにしてもよい。この際、ＩＣタグ３と盗難監視用リーダ４は、この電化製品を乗せる台座内に収納しておくこともできる。また、監視対象物品１が図３に示されるように絵画であった場合には、絵画や額の裏面に図３に示される金属箔を取り付けておけばよい。この際、ＩＣタグ３と盗難監視用リーダ４は、例えば絵画を設置した壁の中に埋め込むこともできる。金属部材２の厚さの違いにより、盗難監視用リーダ４からの電波を反射する能力が異なることはないため、取り付ける監視対象物品１に応じて金属部材２を選択することができる。また、監視対象物品１自体が電波を反射する金属等の物質で構成されているならば、金属部材２は不要である。
【００１９】
次に、ＩＣタグ３について説明する。
ＩＣタグ３は、盗難監視を行う監視対象物品１に貼り付けられるものではなく、この監視対象物品１の設置場所に配置される。従って、図１に示されるように金属部材２とＩＣタグ３と盗難監視用リーダ４とを監視対象物品１毎にそれぞれ設けるものである。
【００２０】
ここで図４を参照しながらＩＣタグ３の構成について説明しておく。
図４に示されるようにＩＣタグ３は、回路基板にデータを記憶するＩＣチップ３１が搭載されると共に、当該データを非接触で送受信するアンテナ３２がプリント配線技術によりパターニングされている。また、用途によって異なるが通常はこの回路基板を水や埃等から保護するためのフィルムが回路基板を封止している。このＩＣタグ３は、アンテナ３２内を盗難監視用リーダ４からの電波が照射されると、ＩＣチップ３１の送受信回路と交信を行い、盗難監視用リーダ４から電力の供給と監視用の応答要求信号を受ける。ＩＣチップ３１内には、このＩＣタグを識別するための識別情報が記録されている。ＩＣチップ３１は盗難監視用リーダ４より電力の供給を受けて起動し、受信した応答要求信号に対する応答信号としてＩＣチップ３１内に記憶した識別情報を盗難監視用リーダ４に出力する。
【００２１】
次に、図５を参照しながら盗難監視用リーダ４について説明する。
図５に示すように盗難監視用リーダ４は、送受信装置４１と、制御装置４２と、電力増幅器４３と、アンテナ４４と、検波器４５と、メモリ４６とを有している。送受信装置４１は、盗難管理装置５から送信される監視開始の制御信号を受信して制御装置４２に出力する。また、異常を検知した場合に、制御装置４２から出力される異常検知信号を盗難管理装置５に送信する。制御装置４２は、送受信装置４１により受信した監視開始の制御信号により、電波である電力供給信号と、監視用の応答要求信号とを電力増幅器４３とアンテナ４４とを介してＩＣタグ３に出力する。制御信号からの信号は電力増幅器４３によって増幅され、アンテナ４４を介してＩＣタグ３に出力される。
【００２２】
また、ＩＣタグ３からの信号は、アンテナ４４を介して検波器４５に出力される。検波器４５は、アンテナ４４により受信した信号から応答信号を検出して制御装置４２に出力する。制御装置４２は検波器４５から応答信号を受信すると、この応答信号を情報としてメモリ４６に記録すると共に、送受信装置４１を介して盗難管理装置５に異常検知信号を出力する。
【００２３】
本実施例の盗難監視用リーダ４は、盗難管理装置５より監視開始の制御信号を受けると、所定の間隔毎に盗難監視用の応答要求信号を出力する。この応答要求信号に対してＩＣタグ３から何の応答も得ることができなかった場合には、監視対象物品１に異常なしと判断し、盗難管理装置５に異常なし信号と自装置を識別するための識別信号とを盗難管理装置５に出力する。また、ＩＣタグ３より応答信号（ＩＣチップ内に記憶された識別情報）を受信すると監視対象物品１に異常があったとして、異常検知信号と自装置を識別するための識別信号とを盗難管理装置５に出力する。
【００２４】
ここで、図６を参照しながら設置された金属部材２とＩＣタグ３と盗難監視用リーダ４との位置関係について説明する。
一般に電波（マイクロ波）は金属板等で反射される特性を有している。本実施例では、この特性を利用して、盗難監視用リーダ４から出力される出力波と、監視対象物品１に設けた金属部材２によって反射された反射波とが相互干渉し、電波がＩＣタグ３を受信できない状態となる位置に金属部材２とＩＣタグ３と盗難監視用リーダ４とを設置している。すなわち、図６に示されるように盗難監視用リーダ４からの出力波の位相と、金属部材２の表面で反射した反射波の位相が１８０度異なる位置または図示しないが金属部材２とＩＣタグ３とが密着する位置に金属部材２とＩＣタグ３と盗難管理用リーダ４とを設置する。
【００２５】
従って、盗難監視用リーダ４から監視用の電波がＩＣタグ３および監視対象物品１に出力されても、監視対象物品１に取り付けた金属部材２により反射された反射波によって出力波と反射波とが打ち消しあい、また、金属部材２とＩＣタグ３とが密着してＩＣタグ３と電波との整合が取れなくなるため、ＩＣタグ３は盗難監視用リーダ４からの応答要求信号に対して応答することはない。また、監視対象物品１が盗難等により所定の設置場所から移動した場合、監視対象物品１に付けられた金属部材２からの反射波はなくなり、また、金属部材とＩＣタグとの密着状態が解消されるため、盗難監視用リーダ４からの電波をＩＣタグ３で受信することになる。ＩＣタグ３が盗難監視用リーダ４からの応答要求信号に対して応答信号を出力することで、盗難監視用リーダ４は異常（監視対象物品１が設置場所から移動）を検出することができる。
【００２６】
このように本実施例は、監視対象物品１に直接ＩＣタグ３を取り付けるのではなく、監視対象物品１を設置する設置場所にＩＣタグ３を取り付けて、監視対象物品１に取り付けられた金属部材２、または監視対象物品１自体の金属によって正規の設置場所に監視対象物品１がある場合には、盗難監視用リーダ４からの応答要求信号がＩＣタグ３に受信できないようにする。監視対象物品１が設置場所から移動した場合には金属部材２からの反射波がなくなり、また、金属部材２とＩＣタグ３との密着状態が解消されるため、ＩＣタグ３が応答要求信号を受信し応答信号を出力することで物品の設置場所からの移動が検出される。従って、ＩＣタグを監視対象物品に取り付け、大がかりなシステムによって展示中の物品や倉庫内に保管された監視対象物品をすべて監視するのではなく、展示中の展示品だけを管理したい場合などに簡易な構成で監視対象物品を監視する場合に有効となる。
【００２７】
次に、図７を参照しながら盗難管理装置５の構成、および動作について説明する。図１及び図７に示されるように盗難管理装置５は、回線により複数の盗難監視用リーダ４と接続されており、これらの盗難監視用リーダ４を介して監視対象物品１の盗難監視を行う。
【００２８】
盗難管理装置５は、図７に示されるように駆動制御部５１と、物品管理テーブル５２と、異常検出部５３と、履歴記録部５４と、警報装置制御部５５とを有している。
【００２９】
駆動制御部５１は、物品管理テーブル５２に記録された監視スケジュールに従って、監視対象物品１を監視する盗難監視用リーダ４の監視開始、および監視終了を制御する。駆動制御部５１は、物品管理テーブル５２を参照して盗難監視を開始する時刻となった監視対象物品１を検出すると、該当する監視対象物品１に設定された盗難監視用リーダ４に監視開始の制御信号を出力する。また、物品管理テーブル５２を参照して盗難監視を終了する時刻となると、該当盗難監視用リーダ４に監視終了の制御信号を出力する。盗難監視の動作に移った盗難監視用リーダ４の識別情報は異常検出部５３に通知される。
【００３０】
物品管理テーブル５２は、図８に示されるように盗難監視用リーダ４の識別情報と、盗難監視用リーダ４が監視する監視対象物品１と、この監視対象物品１が設置された建物内での設置場所情報と、監視時間の設定などが登録されている。駆動制御部５１はこの物品管理テーブル５２を参照して物品の監視を行う。また、警報装置制御部５５は、物品管理テーブル５２を参照して異常が発生した場所を表示する制御などを行う。
【００３１】
異常検出部５３は、監視対象物品１を監視する盗難監視用リーダ４から所定時間毎に返送される信号により、監視対象物品１に異常が発生したか否かを判断する。異常検出部５３は、盗難監視用リーダ４からこの盗難監視用リーダ４の識別信号と異常なし信号とを受信すると、異常なしの記録を履歴記録部５４に書き込む。また、盗難監視用リーダ４から識別信号と異常検知信号とを受信すると、警報装置制御部５５に対して異常発生通知信号と、異常が発生した盗難監視用リーダ４の識別信号とを通知する。また、異常ありの記録を履歴記録部５４に書き込む。
【００３２】
履歴記録部５４には異常検出部５３により盗難監視の履歴情報が書き込まれる。この履歴記録部５４には、図９に示されるように盗難管理装置５に接続された各盗難監視用リーダ４による盗難監視の記録欄が設けられている。あらかじめ設定された時刻毎に盗難監視用リーダ４から送信される異常が発生したか否かを示す信号により異常検出部５３が異常あり、なしを判断し、異常あり、なしの記録を該当する盗難監視用リーダ４の記録欄に書き込む。この履歴記録部５４に書き込まれた履歴は、あらかじめ決められた日時毎に管理者により取り出される。
【００３３】
警報装置制御部５５は、異常検出部５３より異常発生通知信号を受けると、警報装置６を駆動する制御を行う。警報装置６としては、例えば本システムを管理する管理者へ異常を通知する通報装置、異常（監視対象物品に盗難の恐れあり）が発生した監視対象物品１の情報を表示する表示装置などが挙げられる。警報装置制御部５５は、異常検出部５３より盗難監視用リーダの識別情報の通知を受けると、この識別情報により異常のあった物品情報と、この物品が設置された建物内での設置場所に関する情報を物品管理テーブル５２を参照して検出する。そして、警報装置６の有する表示装置に異常が発生した物品の情報と、この物品の設置場所を表示する。
【００３４】
次に、図１０に示されたフローチャートを参照しながら本実施例の動作手順を説明する。
まず、準備段階として、金属部材２を取り付けた監視対象物品1を、設置場所に設置し、位置合わせを行う。すなわち、盗難監視用リーダ４からの出力波の位相と、金属部材２の表面で反射した反射波の位相が１８０度異なるようにまたは金属部材２とＩＣタグとが密着するように監視対象物品１を設置する。この時、図２、３に示されるように１つのＩＣタグ３と盗難監視用リーダ４とにより１つの監視対象物品１を監視するように設定する。
【００３５】
次に、盗難管理装置５の駆動制御部５１は、物品管理テーブル５２を参照して、監視開始時刻となった監視対象物品１を検出し、この監視対象物品１の監視用に割り当てられた盗難監視用リーダ４に対し、監視開始の制御信号を出力する。監視開始の制御信号を受信した盗難監視用リーダ４は、所定の時間毎にＩＣタグ３に対して応答要求信号を出力する（ステップＳ１）。
【００３６】
通常の場合、金属部材２からの反射波と相互干渉し、電波が相殺されるためＩＣタグ３は盗難監視用リーダ４からの応答要求信号（出力波）は、ＩＣタグ３に受信されることはない、また、金属部材２とＩＣタグ３とが密着する場合もＩＣタグ３と電波との整合が取れなくなり、やはり受信されることはない（ステップＳ２／ＮＯ）。応答要求信号を出力しても応答がなかった場合、盗難監視用リーダ４は、自身のメモリ４６内に異常なしの記録を書き込むと共に、盗難管理装置５に対して異常なしの信号を自身の識別信号と共に返送する（ステップＳ３）。盗難監視用リーダ４は、盗難管理装置５より監視時間終了の制御信号が送られてくるまで繰り返し行う（ステップＳ４）。
【００３７】
盗難監視用リーダ４から異常なしの信号が返送された場合に、異常検出部５３は異常なしの記録を履歴記録部５４の該当する記録欄に書き込む。
【００３８】
また、監視対象物品１が盗難等により設置場所から移動させられた場合、金属部材２からの反射波がなくなり、また、金属部材とＩＣタグとの密着状態が解消されるため、盗難監視用リーダ４からの応答要求信号（出力波）をＩＣタグ３が受信することになる。この応答要求信号を受信したＩＣタグ３はＩＣチップ３１に記憶した自身の識別情報を応答信号として盗難監視用リーダ４に出力する。
【００３９】
応答要求信号に対してＩＣタグ３から応答信号を受信した盗難監視用リーダ４は、監視対象物品１に異常があったと判断し、異常検知信号を自身の識別信号と共に盗難管理装置５に出力する（ステップＳ５）。また、自身のメモリ４６内に異常ありを書き込む。
【００４０】
異常検知信号を受信した盗難管理装置５の異常検出部５３は、警報装置制御部５５に対して、異常発生通知信号と、異常が発生した盗難監視用リーダ４の識別信号とを通知する。また、異常ありの記録を履歴記録部５４に書き込む。
【００４１】
異常発生通知信号を受信した警報装置制御部５５は、通知された盗難監視用リーダ４の識別信号から物品管理テーブル５２を参照し、異常があった物品情報と、この物品が設置された建物内での設置場所に関する情報を検出する。そして、警報装置６の有する表示装置に異常が発生した物品の情報と、この物品の設置場所を表示する。また、本システムの管理者に対して通報装置により異常を通報する制御を行う（ステップＳ６）。
【００４２】
このように本実例は、盗難監視用リーダ４からの応答要求信号の出力と、監視対象物品１に取り付けた金属部材２によって反射された応答要求信号の反射波の出力とが打ち消しあう位置または前記金属部材と密着する位置にＩＣタグ３を配置している。従って、通常はＩＣタグ３を検出することはできないが、監視対象物品１が設置場所から移動した場合には反射波がなくなり、また、金属部材とＩＣタグとの密着状態が解消されるため、ＩＣタグ３が応答要求信号を受信し、応答信号を出力することで物品の設置場所からの移動を検出することができる。この原理を利用して複数の監視対象物品１に金属部材２を取り付け、これらの金属部材２からの反射信号と、応答要求信号との出力が打ち消しあう位置または前記金属部材と密着する位置にＩＣタグ３を配置することで、１つのＩＣタグ３と１つの盗難監視用リーダ４により複数の監視対象物品１を監視することが可能となり、物品監視にかかるコストを削減させることができる。また、監視対象の物品の一部または全部が金属で構成されている場合には、金属部材を監視対象の物品に取り付ける必要がないため、監視対象の物品、特に美術品などを汚損させることなく監視することができる。
【００４３】
なお、上述した実施例は本発明の好適な実施例である。但し、これに限定されるものではなく、本発明の要旨を逸脱しない範囲内において種々変形実施可能である。
【図面の簡単な説明】
【００４４】
【図１】実施例のシステム構成を示すブロック図である。
【図２】金属部材２とＩＣタグ３と盗難監視用リーダ４との配置の一例を示す図である。
【図３】金属部材２とＩＣタグ３と盗難監視用リーダ４との配置の一例を示す図である。
【図４】ＩＣタグ３の構成を示す図である。
【図５】盗難監視用リーダ４の構成を示す図である。
【図６】金属部材２とＩＣタグ３と盗難監視用リーダ４との位置関係を示す図である。
【図７】盗難管理装置５の構成を示す図である。
【図８】物品管理テーブル５２の構成を示す図である。
【図９】履歴記録部５４の構成を示す図である。
【図１０】実施例の動作手順を示すフローチャートである。
【符号の説明】
【００４５】
１  監視対象物品                    ２  金属部材
３  ＩＣタグ                        ４  盗難監視用リーダ
５  盗難管理装置                    ６  警報装置
５１  駆動制御部                    ５２  物品管理テーブル
５３  異常検出部                    ５４  履歴記録部
５５  警報装置制御部
【図１】
2005038301.tif 000003
【図２】
2005038301.tif 000004
【図３】
2005038301.tif 000005
【図４】
2005038301.tif 000006
【図５】
2005038301.tif 000007
【図６】
2005038301.tif 000008
【図７】
2005038301.tif 000009
【図８】
2005038301.tif 000010
【図９】
2005038301.tif 000011
【図１０】
2005038301.tif 000012